(57)【特許請求の範囲】
【請求項１】
炭素皮膜抵抗体が表面に直線状に印刷されるとともに外部リード端子が配設された樹脂基板と、前記炭素皮膜抵抗体に当接しつつスライドする摺動子が配設された合成樹脂材のスライダーと、該スライダーを前記樹脂基板と併せて抱持するとともに上面にスリットが長手方向に沿って設けられた金属材の収納ケースと、前記樹脂基板と収納ケースとの間に挟装されるとともにスライダーを支持してスライド方向に摺動自在に規制する合成樹脂材のフレームと、前記収納ケースのスリットを挿通するスライダーの上端部分と収納ケース外部で接合されるとともに収納ケースの両長手方向側面を自身の弾性力で押圧するように構成された合成樹脂材の水平レバーと、によって構成されるスライド形可変抵抗器において、
前記スライダーと水平レバーが一体に成形された合成樹脂材のスライド部材と成しつつ、スライダー上面の中央部からスリット幅に緩嵌しつつ収納ケースの略肉厚寸法だけ垂直に突出するとともに収納ケースのスリット方向と直角となる水平一方向へ折曲して延設された連結部分が形成され、さらに連結部分の先に水平レバーが延設され、且つ該水平レバーが突出する側の収納ケース外側面を合成樹脂の弾性力によって押圧する押圧片が水平レバーのスライド方向の左右に横設された構造を特徴とするスライド形可変抵抗器。
【請求項２】
請求項１記載のスライダーと水平レバーが連結部分とともに一体に成形されたスライド部材を、前記収納ケースのスリットに挿通して、スライダーの水平レバー突出側の側縁と連結部分と水平レバーの内側面とによって囲まれる断面が略Ｌ字形状の隙間を収納ケースのスリット長手方向の内縁から嵌合させるように引っ掛けつつ水平レバーを収納ケース上面と平行になるように回して水平方向に引っ張ることにより装着し、前記水平レバーの押圧片によりスライダーとともに収納ケースを内外から付勢押圧してスライド部材をスリット長手方向に摺動自在に咬合させることを特徴とするスライド形可変抵抗器の組立方法。
【発明の詳細な説明】
【０００１】
【発明の属する技術分野】
本発明は、レバー（つまみ）が抵抗器本体に対し横方向（水平方向）に突出したタイプのスライド形可変抵抗器の構造に関し、さらに詳細には、スライダーと水平レバーが一体に成形されて部品点数が少なく且つ組立が容易な厚さ２〜３ｍｍ程度の超薄型の金属性収納ケースを擁するスライド形可変抵抗器のスライダーとレバーの構造及び取付方法に関するものである。
【０００２】
【従来の技術】
従来よりラジオやテレビ等一般電気製品を対象とする可変抵抗器としては炭素皮膜形可変抵抗器が安価で高信頼性が得られることから広く利用されている。
【０００３】
この炭素皮膜形可変抵抗器には、構造上大別してロータリー形とスライド形があり、このうちスライド形可変抵抗器はレバー（つまみ）を直線的にスライドさせるので調整の程度がひと目で判り、且つ細長い形状なので狭いところに密集して多く取り付けられるという利点から音響ミキサーや電子ピアノ等や、高密度実装が要求されるワープロ、ノート形パソコン等への用途が拡大している。
【０００４】
また、上記スライド形可変抵抗器はレバーの突出方向の違いから、水平な電子回路基板に実装した状態で、レバー（つまみ）が水平に突出する水平レバータイプと、垂直に突出する上レバータイプがある（抵抗器本体の内部構造は同じ）。
【０００５】
図８は従来の水平レバータイプのスライド形可変抵抗器の構造を説明するための分解斜視図である。
【０００６】
本図に示されるように、従来のスライド形可変抵抗器１０は、炭素皮膜抵抗体１が表面に直線状に印刷されるとともに外部リード端子２ａ、２ｂ、２ｃが配設されたフェノール樹脂等の樹脂基板３と、前記炭素皮膜抵抗体１に当接しつつ矢印Ｘ方向にスライドする摺動子４（弾性力に富む金属薄板をブラシ状に折曲加工したもの）が裏面に配設された合成樹脂材のスライダー５と、該スライダー５を前記樹脂基板３と併せて抱持するとともに上面にスリット７（細長い角孔である）が長手方向に沿って設けられた金属材（例えばブリキやアルミ合金）の収納ケース６と、前記樹脂基板３と収納ケース６との間に挟装されるとともにスライダー５をスライド方向Ｘに規制する合成樹脂材のフレーム８と、前記収納ケース６のスリット７を挿通するように延設されたスライダーの上端部分５ａと収納ケース外部で水平レバー孔９ａに嵌合しつつ接着剤にて接合されるとともに収納ケース６の両側面６ａ、６ｂを挟んで自身の弾性力で押圧してぐらつきを抑えてスムーズな摺動が行えるように構成された合成樹脂材の水平レバー９と、によって構成されているのが通常である。
【０００７】
上記のような水平レバータイプのスライド形可変抵抗器１０の製品化においては、スリット７を収納ケース６の上面に設けずに、収納ケース６の一方側面（例えば収納ケースの側面６ａ）に設けてスライダー５の横から直接に該スリットを通して水平にレバーを突出させるのが最も簡単な構造と考えられるが、金属の収納ケース６の側面側にスリットを穿設するのは加工精度上困難である。
【０００８】
そのため、従来は上レバータイプのスライド形可変抵抗器の垂直レバーを組立工程後或いは組立前に収納ケースの上面から僅かに突出する延設部分を除いて先端を削除し、残った上端部分５ａに別体の横向きの水平レバー９を上から後付け工程で嵌入し接着剤にて接合して水平レバータイプとして製造していたのである。
【０００９】
【発明が解決しようとする課題】
しかしながら、最近の電子機器の軽薄短小の流れの中で、スライド形可変抵抗器は更なる小型化と低コスト化への要求を受けている。
【００１０】
この点問題になるのは、上記従来の水平レバータイプのスライド形可変抵抗器１０においては、スライダー５と水平レバー９が接着剤による後付けで製作されるため、組立工程が上レバータイプよりも多くなり生産性が劣る。
【００１１】
また、収納ケース６の上面に覆うように水平レバーが挟む構造なので水平レバー部分が大きくて収納ケース寸法からはみ出てしまい基板実装における実質的な占有容積が大きくなってしまっていた。
【００１２】
本発明は上記事情に鑑みてなされたもので、スライダーと水平レバーを一体に成形したスライド部材を用い、簡単に収納ケースに組み付けられるようにして水平レバータイプのスライド形可変抵抗器の生産性を向上して低コスト化を実現し、またレバー部分をコンパクトにしたスライド可変抵抗器を提供するものである。
【００１３】
【課題を解決するための手段】
本発明は、炭素皮膜抵抗体が表面に直線状に印刷されるとともに外部リード端子が配設された樹脂基板と、前記炭素皮膜抵抗体に当接しつつスライドする摺動子が配設された合成樹脂材のスライダーと、該スライダーを前記樹脂基板と併せて抱持するとともに上面にスリットが長手方向に沿って設けられた金属材の収納ケースと、前記樹脂基板と収納ケースとの間に挟装されるとともにスライダーを支持してスライド方向に摺動自在に規制する合成樹脂材のフレームと、前記収納ケースのスリットを挿通するスライダーの上端部分と収納ケース外部で接合されるとともに収納ケースの両長手方向側面を自身の弾性力で押圧するように構成された合成樹脂材の水平レバーと、によって構成されるスライド形可変抵抗器において、前記スライダーと水平レバーが一体に成形された合成樹脂材のスライド部材と成しつつ、スライダー上面の中央部からスリット幅に緩嵌しつつ収納ケースの略肉厚寸法だけ垂直に突出するとともに収納ケースのスリット方向と直角となる水平一方向へ折曲して延設された連結部分が形成され、さらに連結部分の先に水平レバーが延設され、且つ該水平レバーが突出する側の収納ケース外側面を合成樹脂の弾性力によって押圧する押圧片が水平レバーのスライド方向の左右に横設された構造を特徴とするスライド形可変抵抗器を提供することにより、上記目的を達成する。
【００１４】
また、上記スライダーと水平レバーが連結部分とともに一体に成形されたスライド部材を、前記収納ケースのスリットに挿通して、スライダーの水平レバー突出側の側縁と連結部分と水平レバーの内側面とによって囲まれる断面が略Ｌ字形状の隙間を収納ケースのスリット長手方向の内縁から嵌合させるように引っ掛けつつ水平レバーを収納ケース上面と平行になるように回して水平方向に引っ張ることにより装着し、前記水平レバーの押圧片によりスライダーとともに収納ケースを内外から付勢押圧してスライド部材をスリット長手方向に摺動自在に咬合させることを特徴とするスライド形可変抵抗器の組立方法を提供することにより、上記目的を達成する。
【００１５】
【発明の実施の形態】
本発明に係わる実施の形態を図面に基づいて詳細に説明する。尚、前述の従来のスライド形可変抵抗器１０と同等部位については同符号をもって指称する。
【００１６】
図１は本発明に係わる水平レバータイプのスライド形可変抵抗器３０の構造を説明するための分解斜視図である。また、図２はスライド形可変抵抗器３０の平面図であり、図３は側面図である。
【００１７】
図１及至図３において、収納ケース６、フレーム８、樹脂基板３の構造は従来例のスライド形可変抵抗器１０と同寸法・同構造である。
【００１８】
一方、スライダー１５と水平レバー１９は従来のように別体として成形されたものではなく、始めより連結部分１７でつながり一体に成形された合成樹脂材のスライド部材２０と成している。
【００１９】
図４〜図６はそれぞれ上記スライド部材２０の平面図、底面図、側面図である。
【００２０】
スライダー部分１５は四角形状の薄板（厚さ０．４ｍｍ程度）であり、上面のスライド方向に平行な２辺の縁に沿って収納ケースの内面と接する凸部１５ｃ、１５ｄが形成されており、水平レバー１９が延設された側には切欠部１５ｅが形成されている。
【００２１】
さらに、スライダーの底面には摺動子を係着するための円柱突起１５ｆが突設されている。
【００２２】
水平レバー１９は、スライダー１５の上面の中央部からスリット幅Ｗに緩嵌しつつ収納ケースの略肉厚寸法ｈだけ垂直に出た後に収納ケースのスリット方向と直角となる水平一方向へ折曲して延設された連結部分１７の先に延設されている。
【００２３】
この水平レバー１９のスライド方向の左右には収納ケース外側面６ａを合成樹脂の弾性力によって当接しつつ押圧する押圧片１９ａ、１９ｂが水平レバー１９の左右に横設されている。
【００２４】
上記押圧片１９ａ、１９ｂは先端が丸く収納ケース側に突出しており、またスライダー１５の凸部１５ｄとの間隔δはその間に挟む（収納ケースの肉厚＋フレーム８の凸部８ａの幅）よりも狭く構成されていて、あたかも左右に伸びた腕が自身の弾性力で付勢されて挟んだ収納ケース外側面６ａを内外から押さえるように作用する。
【００２５】
以上の構成によって、スライド部材２０のスライダー１５は収納ケース６の内面とフレーム８によってスリット７に沿って、換言すれば炭素皮膜抵抗体１に摺動子４が当接しつつ摺動自在に装着される。
【００２６】
次に、上記スライド部材２０の収納ケース６への装着方法について図７の（Ａ）〜（Ｃ）を基に説明する。
【００２７】
先ず、（Ａ）の如く、スライド部材２０（摺動子４をスライダー１５の底面に予め係着しておくことが望ましい。）を、前記収納ケース６のスリット７に下から挿通し、次に（Ｂ）の如く、スライダーの水平レバー突出側の側縁１５ｊと連結部分１７と水平レバー１９の内側面１９ｃとによって囲まれる断面が略Ｌ字形状の隙間Ｋを収納ケースのスリット長手方向の内縁６ｄから嵌合させるように引っ掛けつつ水平レバー１９を収納ケース上面と平行になるように矢印のように回して水平方向に引っ張ることにより、（Ｃ）に示される如く隙間Ｋに収納ケース６とフレーム８の凸部８ａが嵌合して、前記水平レバー１９の押圧片１９ａ、１９ｂによりスライダー１５とともに収納ケース６（正確にはフレーム８の凸部８ａを挟んでいる）を内外から付勢押圧してスライド部材をスリット長手方向に摺動自在に咬合させる。しかる後、フレーム８、樹脂基板３を下から収納ケース６に組み合わせて収納ケースの脚部６ｃを内側に折り曲げて装着固定し組立が完了する。
【００２８】
上記スライド部材２０の収納ケースへの取付工程は手作業でも数秒で完了するので、飛躍的に組立工程が簡略化されることは明らかであろう。
【００２９】
尚、隙間Ｋに収納ケースを嵌合させる際には、合成樹脂材でできたスライド部材２０の有する弾性変形で（Ｂ）に示される如く多少連結部分１７を変形させて押し込むことが可能である。
【００３０】
逆に言えば、スライド部材２０を収納ケースに装着させる場合に緩すぎて咬合状態が簡単に解かれないように、且つ無理なく少しの外力を加えて弾性変形させることで嵌合装着可能な程度に、収納ケース６におけるスリット内縁から外縁に至る寸法ｘ１、スライダー１５の凸部１５ｄとの間隔δ、収納ケースの肉厚ｗ１、押圧片１９ａ、１９ｂと連結部分１７の弾性変形許容量、スリット幅Ｗ、その他の寸法を勘案して各部を設計することが肝要である。
【００３１】
例えば、ストローク１０ｍｍで収納ケース幅６ｍｍ、肉厚ｗ１＝０．３ｍｍの場合、スリット幅Ｗ＝２．４ｍｍ、ｘ１＝１．８ｍｍ、δ＝０．７ｍｍとする。上記構成で、実装状態の抵抗器の高さは３．５ｍｍ程度となって、高さ自体は従来品と変わらないが、水平レバー１９がコンパクトな形状となるので実質的な占有容積が小さくなり、またスライダーと水平レバーの後付け工程が無いので、優れて生産性ひいては低コスト化の経済効果が大であることは明瞭である。
【００３２】
【発明の効果】
本発明に係わるスライド形可変抵抗器及びその組立方法は、上記のように構成されているため、水平レバーの収納ケースへの取付がスライダーの取付と同時にワンタッチで行えるので、優れた生産性、低コスト化の経済効果が得られる。
【図面の簡単な説明】
【図１】本発明に係わる水平レバータイプのスライド形可変抵抗器の構造を説明するための分解斜視図である。
【図２】本発明に係わる水平レバータイプのスライド形可変抵抗器の平面図である。
【図３】本発明に係わる水平レバータイプのスライド形可変抵抗器の側面図である。
【図４】本発明に係わるスライド部材の平面図である。
【図５】本発明に係わるスライド部材の底面図である。
【図６】本発明に係わるスライド部材の側面図である。
【図７】（Ａ）、（Ｂ）、（Ｃ）は本発明に係わるスライド部材を収納ケースに装着する組立方法を説明するための図である。
【図８】従来の水平レバータイプのスライド形可変抵抗器の構造を説明するための分解斜視図である。
【符号の説明】
１                    炭素皮膜抵抗体
２ａ〜２ｃ        外部リード端子
３              樹脂基板
４              摺動子
５、１５        スライダー
５ａ              スライダー上端部分
６              収納ケース
６ａ、６ｂ        収納ケースの側面
６ｃ            収納ケースの脚部
６ｄ            スリット長手方向の内縁
７                      スリット
８              フレーム
９、１９        水平レバー
９ａ            水平レバー孔
１０、３０          スライド形可変抵抗器
１５ｃ、１５ｄ    凸部
１５ｅ            切欠部
１５ｆ            円柱突起
１７              連結部分
１９ａ、１９ｂ    押圧片
２０              スライド部材
Ｋ              隙間
【図１】
0003574532.tif 000002
【図２】
0003574532.tif 000003
【図３】
0003574532.tif 000004
【図４】
0003574532.tif 000005
【図５】
0003574532.tif 000006
【図６】
0003574532.tif 000007
【図７】
0003574532.tif 000008
【図８】
0003574532.tif 000009